(57)【特許請求の範囲】
【請求項１】
ベット近傍に設置されて患者が看護師を呼び出すためのナースコール子機と、ナースステーションに設置されて患者からの呼び出しを報知して応答するためのナースコール親機とを有し、前記ナースコール親機には患者情報一覧をベッド単位で表示するディスプレイ、及び前記患者情報及び看護師のチームの設定を含む設定操作が可能な操作部が設けられて成るナースコールシステムにおいて、
前記設定操作が行われている状態で前記ナースコール子機による呼び出しが発生したら、設定中のデータを待避させる設定データ制御部、及び待避データを記憶する待避データ記憶部とを有する一方、
前記ナースコール親機は、前記ナースコール子機による呼び出しが発生したら、前記ディスプレイに呼出元の患者に関する患者情報をポップアップ表示させる表示制御部を有し、
前記設定データ制御部は、前記呼び出し或いは呼び出しに付随して行われる通話が終了したら、前記待避データ記憶部に待避させた設定中のデータを戻して設定画面を待避前の状態に復帰させる画面保持制御を実施すると共に、
前記表示制御部は、前記設定操作中に前記ナースコール子機による呼び出しが発生したら、前記ポップアップ表示を実施しないことを特徴とするナースコールシステム。
【請求項２】
前記ナースコール親機は、通話のためのハンドセットの近傍に通話先の情報を表示するサブディスプレイを有し、
前記表示制御部は、前記設定操作中に前記ナースコール子機による呼び出しが発生したら、前記サブディスプレイに呼出元情報を表示させることを特徴とする請求項１記載のナースコールシステム。
【請求項３】
前記ナースコール親機は、呼び出しが発生しても設定中のデータを待避しない画面保持停止モードに移行させる保持停止ボタンを有することを特徴とする請求項１又は２記載のナースコールシステム。
【請求項４】
前記画面保持停止モード移行中は、前記表示制御部が前記ディスプレイに画面保持停止モード中である旨を表示することを特徴とする請求項３記載のナースコールシステム。
【発明の詳細な説明】
【技術分野】
【０００１】
本発明はナースコールシステムに関し、詳しくはナースコール親機において患者情報の入力や看護師のチーム設定ができるナースコールシステムに関する。
【背景技術】
【０００２】
ナースコール親機に大型のディスプレイを設けて、従来のボード型親機で表示していた患者情報の一覧を大型のディスプレイに画像表示させることで、ボード型親機を無くしたナースコールシステムがある（例えば、特許文献１参照）。
このようなナースコール親機は、ディスプレイに設けられたタッチパネルを使用して、各種患者情報の入力や看護師チームの設定が可能となっている。
【先行技術文献】
【特許文献】
【０００３】
【特許文献１】特開２０１５−８８７８１号公報
【発明の概要】
【発明が解決しようとする課題】
【０００４】
しかしながら、上記大型ディスプレイを備えたナースコール親機は、患者情報の入力や看護師チーム設定を行っている最中にナースコール子機による呼び出しが発生したら、ナースコール親機においても呼出音の鳴動が開始され、ディスプレイに呼出元の患者情報が拡大表示されることで設定操作がその間不可とされ中断した。
この中断は、呼び出しに対する応答操作が成されて待受状態に戻ったら再開できたが、完了操作していない入力途中のデータは呼出動作によりキャンセルされ消去されたため、その後設定を完了させたい場合は消去されたデータから入力する必要があり、看護師の負担となっていた。  
【０００５】
そこで、本発明はこのような問題点に鑑み、ナースコール親機で患者情報の入力やチーム設定等の操作を行っている途中でナースコール子機による呼び出しが発生しても、呼び出し応答後に中断した時点から継続して操作することができるナースコールシステムを提供することを目的としている。
【課題を解決するための手段】
【０００６】
上記課題を解決する為に、請求項１の発明は、ベット近傍に設置されて患者が看護師を呼び出すためのナースコール子機と、ナースステーションに設置されて患者からの呼び出しを報知して応答するためのナースコール親機とを有し、ナースコール親機には患者情報一覧をベッド単位で表示するディスプレイ、及び患者情報及び看護師のチームの設定を含む設定操作が可能な操作部が設けられて成るナースコールシステムにおいて、設定操作が行われている状態でナースコール子機による呼び出しが発生したら、設定中のデータを待避させる設定データ制御部、及び待避データを記憶する待避データ記憶部とを有する一方、ナースコール親機は、ナースコール子機による呼び出しが発生したら、ディスプレイに呼出元の患者に関する患者情報をポップアップ表示させる表示制御部を有し、設定データ制御部は、呼び出し或いは呼び出しに付随して行われる通話が終了したら、待避データ記憶部に待避させた設定中のデータを戻して設定画面を待避前の状態に復帰させる画面保持制御を実施すると共に、表示制御部は、設定操作中にナースコール子機による呼び出しが発生したら、ポップアップ表示を実施しないことを特徴とする。
この構成によれば、設定途中のデータを保存操作しなくても患者から呼び出しを受けたらデータを待避させ、呼出或いはその応答が終了したら待避データを戻して設定画面が復帰するため、呼び出しの発生により設定操作が中断しても呼び出し或いは呼び出しに付随して行われる通話が終了したら中断した状態から再開することが可能となる。よって、呼び出しが発生しても設定操作に余分な作業が発生せず、看護師の負担を軽減できる。
【０００７】
加えて、設定操作中の画面は呼び出しが発生しても隠れることが無く、中断が発生してもその後スムーズに設定作業を継続できる。
【０００８】
請求項２の発明は、請求項１に記載の構成において、ナースコール親機は、通話のためのハンドセットの近傍に通話先の情報を表示するサブディスプレイを有し、表示制御部は、設定操作中にナースコール子機による呼び出しが発生したら、サブディスプレイに呼出元情報を表示させることを特徴とする。
この構成によれば、ハンドセット近傍に設けられたサブディスプレイに呼出元の患者情報が表示されるため、設定操作中であってもスムーズな対応ができる。
【０００９】
請求項３の発明は、請求項１又は２に記載の構成において、ナースコール親機は、呼び出しが発生しても設定中のデータを待避しない画面保持停止モードに移行させる保持停止ボタンを有することを特徴とする。
この構成によれば、設定操作中に呼び出しが発生したら、入力途中のデータが消えてしまう従来の動作を選択できるため、患者の呼び出し対応を優先したい操作者である看護師
にとっては利便性が良い。
【００１０】
請求項４の発明は、請求項３に記載の構成において、画面保持停止モード移行中は、表示制御部がディスプレイに画面保持停止モード中である旨を表示することを特徴とする。
この構成によれば、作業者は画面保持停止モード状態にあることを容易に認識でき、作業ミスを防止できる。
【発明の効果】
【００１１】
本発明によれば、設定したデータを保存操作しなくても呼び出しを受けたら自動保存するため、呼び出しの発生により設定操作が中断しても呼び出しの対応が終了したら中断した状態から再開することが可能となる。よって、呼び出しが発生しても設定操作に余分な作業が発生せず、看護師の負担を軽減できる。
【図面の簡単な説明】
【００１２】
【図１】本発明に係るナースコールシステムの一例を示す構成図である。
【図２】ナースコール親機の回路ブロック図である。
【図３】ナースコール親機のディスプレイ表示説明図である。
【図４】設定画面を表示したナースコール親機のディスプレイ表示説明図である。
【図５】設定中に呼び出しが発生した場合の親機のディスプレイ表示説明図である。
【図６】設定中に呼び出しが発生した場合の親機のディスプレイ及びサブディスプレイの表示説明図である。
【図７】ナースコールシステムの他の例示す構成図である。
【図８】呼出表示の他の例を示す説明図である。
【図９】画面保持停止モードに移行させた場合のディスプレイ表示説明図である。
【発明を実施するための形態】
【００１３】
以下、本発明を具体化した実施の形態を、図面を参照して詳細に説明する。図１は本発明に係るナースコールシステムの一例を示す構成図であり、１はベッド近傍に設置されて患者が看護師を呼び出すためのナースコール子機（以下、単に「子機」と称する。）、２は病室前において子機１による呼び出しを報知する廊下灯、３はナースステーションに設置されて子機１からの呼び出しを報知して応答するためのナースコール親機（以下、単に「親機」と称する。）、４は子機１と親機３の間の通信を制御する制御機、５は看護師が携行する携帯端末、６は携帯端末５と通信する基地局、７は携帯端末５の通信を管理する交換機である。
【００１４】
子機１は病室毎に廊下灯２に伝送線Ｌ１を介して接続され、廊下灯２は廊下灯幹線Ｌ２を介して制御機４に接続され、親機３は伝送線Ｌ３を介して制御機４に接続されている。また、交換機７は伝送線Ｌ４を介して制御機４に接続されている。
【００１５】
子機１は、患者が操作する呼出ボタン１ａと壁面に設置されたプレート子機１ｂとを有し、呼出ボタン１ａはプレート子機１ｂに接続され、プレート子機１ｂが廊下灯２に接続されている。
【００１６】
親機３は、患者情報の一覧を表示するための大型ＬＣＤから成る第１ディスプレイ３１、通話先を表示するための小型ＬＣＤからなる第２ディスプレイ３２、通話するためのハンドセット３３を有し、第２ディスプレイ３２はハンドセット３３の近傍に配置されている。
図２は親機３の回路ブロック図を示し、図３に示すように第１ディスプレイ３１に設けられたタッチパネルから成る操作部３４、患者の氏名、年齢、診療科目、救護区分、担当医師、ベッド番号等の患者情報を記憶する患者情報記憶部３５、設定中のデータを保存する待避データ記憶部３６、ハンドセット３３に加えて警報音等を発報するスピーカを有する通話部３８、第１ディスプレイ３１及び第２ディスプレイ３２に表示する映像や画像を処理する映像処理部３９、通話音声を処理する音声処理部４０、親機３を制御する親機ＣＰＵ４１、制御機４と通信するための親機通信ＩＦ４２等を備えている。
尚、親機３は後述するように、パーソナルコンピュータから成るＰＣ型親機３ａを使用しても良い。
【００１７】
このように構成されたナースコールシステムの動作は以下の様である。但し、子機１を使用した呼び出し、親機３或いは携帯端末５を使用したその応答に関しては従来技術と同様であるため説明を省略し、ここでは親機３において各種設定操作を行っている最中に子機１を使用した呼び出しが発生した場合の動作を説明する。
図３は第１ディスプレイ３１の待受状態での表示を示す説明図であり、第１ディスプレイ３１には図３に示すように患者情報の一覧がベッド単位で表示されている。図３において、Ｐはベッドに対応する枠で個々の患者情報を表示した患者枠である。この患者枠Ｐの中に、患者の氏名表示部Ｐ１、ベッド番号表示部Ｐ２、呼び出しを通知する通知灯Ｐ３等が設けられている。また、Ｑは病室番号を表示する病室番号表示枠である。
【００１８】
この待受け時に患者情報の設定や変更を行うことができ、第１ディスプレイ３１の待ち受け画面で表示されている「設定」ボタンＰ４がタッチ操作されると、設定モードに移行し、設定画面が表示されて各種設定を行うことができる。
図４は設定画面を表示した第１ディスプレイ３１の表示説明図であり、設定画面の１つとして患者情報の設定／変更を行う画面をポップアップ表示した状態を示している。Ｒ１がポップアップ表示された設定画面であり、このような設定画面Ｒ１が表示されて設定が行われ、終了したら設定画面Ｒ１で「完了」ボタン（図示せず）を押すことで、設定した内容が患者情報記憶部３５などの記憶部に保存され、待受け画面に戻る。
【００１９】
この設定画面Ｒ１が表示された状態で患者から呼び出しが発生したら、以下の様に動作する。但し、後述する画面保持停止モードに移行してない場合の動作を説明する。
設定中に子機１による呼び出しが発生すると、呼出信号が子機１から廊下灯２、制御機４を介して親機３に伝送される。この呼出信号を受信した親機３では、親機ＣＰＵ４１の制御により通話部３８から呼出音が鳴動し、第１ディスプレイ３１に呼出元の患者情報がポップアップにより拡大表示される。また第２ディスプレイ３２にも呼出元の患者情報が表示される。
図５は設定中に呼び出しが発生した場合の第１ディスプレイ３１の表示を示している。図５に示すＲ２がポップアップ表示された呼出元の患者情報で、設定画面Ｒ１の一部を覆うように大きく表示される。この表示により、呼出元の患者を遠くからでも容易に把握することができる。
【００２０】
呼出音の鳴動を受けて親機３のハンドセット３３を取り上げると、呼出元の子機１との間で通話路が形成されて通話が可能となる。なお、このとき患者に関連付けられている看護師が携行する携帯端末５でも呼出音が鳴動し、応答操作すると携帯端末５と子機１との間で通話路が形成される。
【００２１】
一方で親機ＣＰＵ４１は、このポップアップ表示を実施すると同時に、設定途中のデータを待避データ記憶部３６に待避させて設定画面Ｒ１を設定不可とする。
その後、呼び出し或いは呼び出しに付随して行われる通話が終了したら、待避データ記憶部３６に待避させたデータを復帰させ、継続した設定操作を可能としている。この設定は、図示しない「完了ボタン」を押すことで終了し、設定されたデータは患者情報記憶部３５等所定の記憶部に保存される。こうして、呼び出しが発生しても、その後設定を継続することができる。
【００２２】
このように、設定途中のデータを保存操作しなくても患者から呼び出しを受けたらデータを待避させ、呼び出し或いはその応答が終了したら待避データを戻して設定画面Ｒ１が復帰するため、呼び出しの発生により設定操作が中断しても、呼び出し或いは呼び出しに付随して行われる通話が終了したら中断した状態から再開することが可能となる。よって、呼び出しが発生しても設定操作に余分な作業が発生せず、看護師の負担を軽減できる。
また、ハンドセット３３の近傍に設けられた第２ディスプレイ３２に呼出元の患者情報が表示されるため、設定操作中であってもスムーズな対応ができる。
【００２３】
図６は、設定中に呼び出しが発生した場合の親機３の第１ディスプレイ３１及び第２ディスプレイ３２の表示説明図である。図６に示すＲ３が呼出元の患者情報表示部であり、呼び出しを受けた際に表示する呼出元の患者情報を、第１ディスプレイ３１にポップアップ表示せず、第２ディスプレイ３２にのみ表示した状態を示している。
所定の表示設定操作により、待受状態での患者からの呼び出しは第１ディスプレイ３１にポップアップ表示されるが、設定操作中の第１ディスプレイ３１には呼出元の患者情報がポップアップされないよう設定でき、このように設定画面Ｒ１が隠れないよう表示動作させても良い。
この場合、設定画面Ｒ１は呼び出しが発生しても隠れないため、中断してもその後スムーズに設定作業を継続できる。また、呼出元の患者情報は第２ディスプレイ３２には継続して表示されるため、設定操作中であってもスムーズな対応ができる。
【００２４】
尚、親機３は、上述したような大型の第１ディスプレイ３１を持たず、中型のディスプレイ（ＰＣディスプレイ３１ａ）を備えたパーソナルコンピュータからなるＰＣ型親機３ａと、ハンドセット３３ａ及び第２ディスプレイ３２に相当する小型ディスプレイ３２ａを備えた卓上型親機３ｂとで構成されたものがある。図７はこのような親機３を備えたナースコールシステムを示し、親機３以外は上記図１と同様の構成となっている。
【００２５】
このような親機３は、第１ディスプレイ３１に比較して小さいＰＣ型親機３ａのディスプレイ（ＰＣディスプレイ）３１ａは、患者情報一覧を表示した状態で呼出元の患者情報をポップアップ表示すると、他の患者情報の多くが隠れてしまうため、小型ディスプレイ３２ａのみに呼出元の患者情報を表示する形態が望ましい。
この場合、ＰＣディスプレイ３１ａには呼出時に画面下部に呼出元の患者名のテロップ表示（図示せず）させても良いし、待受時に表示されている患者情報一覧に対して、図８に示すように呼出元の患者枠Ｐの色を変える（図では太線で表示）ことにより、呼出元の患者を通知させても良い。
【００２６】
このように、ポップアップにより拡大表示しなくても、呼出元の患者情報は小型ディスプレイ３２ａに表示されるため、設定操作中であってもスムーズな対応ができるし、加えてテロップ表示や患者情報一覧の表示色の変更から呼出元を特定できる。
【００２７】
次に、画面保持停止モードでの動作を説明する。画面保持停止モードへは、操作部３４の保持停止ボタン３４ａを操作することで移行し、移行したことが常時表示される。図９は画面保持停止モードに移行させた場合の第１ディスプレイ３１の表示説明図であり、Ｐ５が画面保持停止モード表示部である。図９に示すように、待受状態を始め全ての表示状態で第１ディスプレイ３１の所定の位置に画面保持停止モードに設定されている表示がなされる。この状態で、設定画面Ｒ１が表示されるし、呼び出しが発生したら患者情報がポップアップ表示される。
このモード状態では、設定中に呼び出しを受けてもデータの保存は行われず設定途中のデータは消去される。
【００２８】
このように、設定操作中に呼び出しが発生したら、入力途中のデータが消えてしまう従来の動作を選択でき、患者の呼び出し対応を優先したい操作者である看護師にとっては、設定の途中であっても、設定終了を待たず患者の処置に専念することができ、利便性が良い。また、画面保持停止モードであることが常時表示されるため、作業者は画面保持停止モード状態にあることを容易に認識でき、作業ミスを防止できる。
【００２９】
尚、上記実施形態は、大型ＬＣＤからなる第１ディスプレイ３１を備えた親機３とＰＣ型親機３ａを有する親機３とで異なるナースコールシステムとしたが、１つのナースコールシステムにおいて双方を設けても良いし、同一のナースステーションに双方を配置しても良い。
【符号の説明】
【００３０】
１・・子機（ナースコール子機）、２・・廊下灯、３・・親機（ナースコール親機）、３ａ・・ＰＣ型親機、３ｂ・・卓上型親機、３１・・第１ディスプレイ（ディスプレイ）、３１ａ・・ＰＣディスプレイ（ディスプレイ）、３２・・第２ディスプレイ（サブディスプレイ）、３２ｂ・・小型ディスプレイ（サブディスプレイ）、３４・・操作部、３４ａ・・保持停止ボタン、３５・・患者情報記憶部、３６・・待避データ記憶部、３８・・通話部、４１・・親機ＣＰＵ（設定データ制御部、表示制御部）、Ｐ４・・設定ボタン、Ｐ５・・画面保持停止モード表示部、Ｒ１・・設定画面、Ｒ２・・拡大表示された患者情報、Ｒ３・・呼出元患者情報表示部。
【図１】
0006600528.tif 000002
【図２】
0006600528.tif 000003
【図３】
0006600528.tif 000004
【図４】
0006600528.tif 000005
【図５】
0006600528.tif 000006
【図６】
0006600528.tif 000007
【図７】
0006600528.tif 000008
【図８】
0006600528.tif 000009
【図９】
0006600528.tif 000010